(57)【特許請求の範囲】
【請求項１】
操作装置と取付ブラケットとの間に回転可能に支持される巻取軸からスクリーンを垂下し、前記操作装置から垂下される操作コードの操作に基づいて前記スクリーンを昇降するロールブラインドの操作装置において、
前記スクリーンの前記巻取軸からの巻き戻し時及び巻き戻しに続く逆巻き時に、前記巻取軸に作用する回転トルクの増大に基づいて空回りして、前記操作コードの操作力を前記巻取軸に伝達しないとともに、正逆いずれの回転方向に対しても同一の伝達トルク制限機能を備えたトルクリミッターを前記巻取軸の端部に取着されるパイプキャップに内蔵し、
前記パイプキャップは、前記巻取軸の左右何れの端部にも取着可能である
ことを特徴とするロールブラインドの操作装置。
【請求項２】
前記トルクリミッターは、
前記操作装置の操作に基づいて回転されるとともに、回転中心に対し点対称状に形成された第一の凹凸部を備えたパイプキャップシャフトと、
前記パイプキャップシャフトに回転可能に支持されるとともに、前記第一の凹凸部に空回り可能に噛み合う第二の凹凸部と、前記パイプキャップに常時噛み合う第三の凹凸部とを備えた移動コマと、
前記第一及び第二の凹凸部を互いに圧接させて伝達トルクを設定する付勢手段と
を備えたことを特徴とする請求項１記載のロールブラインドの操作装置。
【請求項３】
前記第一及び第二の凹凸部は、その凸部のトルク伝達方向の断面形状が台形となるように形成したことを特徴とする請求項２記載のロールブラインドの操作装置。
【請求項４】
前記第一及び第二の凹凸部は、その凸部の両側面を同一の傾きを備えた斜面としたことを特徴とする請求項３記載のロールブラインドの操作装置。
【請求項５】
前記操作装置と前記取付ブラケットとの間に２本の前記巻取軸を回転可能に支持し、前記各巻取軸のパイプキャップには、前記操作装置から垂下される共通の操作コードで各巻取軸から垂下されるスクリーンを昇降操作可能としたクラッチ装置を備えたことを特徴とする請求項１乃至４のいずれか１項に記載のロールブラインドの操作装置。
【請求項６】
前記パイプキャップに回転可能に支持されるパイプキャップシャフトの基端側から先端まで、前記クラッチ装置の出力軸を嵌合したことを特徴とする請求項５記載のロールブラインドの操作装置。
【請求項７】
前記トルクリミッターを前記巻取軸の一端に取着したパイプキャップに備え、前記巻取軸内に前記巻取軸にスクリーン巻取り方向の回転トルクを付与するスプリングモーターと、該スプリングモーターの付勢力に抗してスクリーンを所望高さに保持するストッパー装置とを備え、前記巻取軸の他端に前記スクリーンの下限位置を設定する下限リミット設定装置と、前記スプリングモーターの初期巻きトルクを調整する調整装置を備えたことを特徴とする請求項１乃至６のいずれか１項に記載のロールブラインドの操作装置。
【請求項８】
前記下限リミット設定装置は、
前記巻取軸の回転にともなって、前記巻取軸の軸方向にスライドするストッパーと、
前記スクリーンが下限まで下降したとき、前記ストッパーのスライドを阻止する移動規制片と、
前記ストッパーのスライドの停止を選択可能とした選択手段と
を備え、
前記調整装置は、
前記ストッパーをスライド可能に支持するスプライン軸を貫通して、前記取付ブラケットの側方から前記スプリングモーターの初期巻きトルクを調整可能とした調整軸を備えたことを特徴とする請求項７記載のロールブラインドの操作装置。
【請求項９】
操作装置の操作に基づいて回転されるとともに、回転中心に対し点対称状に形成された第一の凹凸部を備えたパイプキャップシャフトと、
前記パイプキャップシャフトに回転可能に支持されるとともに、前記第一の凹凸部に空回り可能に噛み合う第二の凹凸部と、パイプキャップに常時噛み合う第三の凹凸部とを備えた移動コマと、
前記第一及び第二の凹凸部を互いに圧接させて伝達トルクを設定する付勢手段と
を有するトルクリミッターとを備える巻取軸のパイプキャップであって、
前記パイプキャップは、前記巻取軸の左右何れの端部にも取着可能である
ことを特徴とする巻取軸のパイプキャップ。
【請求項１０】
前記パイプキャップシャフトには、出力軸を嵌挿可能とした筒状部を設け、該筒状部にはパイプキャップに嵌合する係止突部と、該係止突部の近傍に設けたスリットとを備えたことを特徴とする請求項９記載の巻取軸のパイプキャップ。
【発明の詳細な説明】
【技術分野】
【０００１】
この発明は、無端状の操作コードの操作によりスクリーンを昇降するロールブラインドに関するものである。
【背景技術】
【０００２】
ロールブラインドは、操作装置の操作により巻取軸から垂下されるスクリーンを巻取軸に巻き取り、あるいは巻取軸からスクリーンを巻き戻すことにより、スクリーンを昇降するようになっている。
【０００３】
このようなロールブラインドの操作装置の一種類として、巻取軸の一端から無端状の操作コードが垂下されるとともに、巻取軸内にはスプリングモーターが配設されたものがある。
【０００４】
この操作装置では、操作コードを一方へ操作して巻取軸をスクリーン巻き戻し方向に回転させてスクリーンを下降操作し、操作コードを操作して巻取軸内のストッパー装置の作動を解除することにより、スプリングモーターの付勢力に基づいて巻取軸を回転させて、スクリーンを引き上げるようになっている。
【０００５】
また、前後方向に位置する２本の巻取軸からそれぞれスクリーンを吊下支持するダブルロールスクリーンでは、操作コードを一方へ操作することにより一方のスクリーンの下降操作と、ストッパー装置の解除に続くスクリーンの引き上げ操作が可能である。さらに、操作コードを他方へ操作することにより他方のスクリーンの下降操作と、ストッパー装置の解除に続くスクリーンの引き上げ操作が可能である。
【先行技術文献】
【特許文献】
【０００６】
【特許文献１】特開２００５‐２３６８２号公報
【発明の概要】
【発明が解決しようとする課題】
【０００７】
上記のようなロールブラインドの操作装置では、操作コードの操作によりスクリーンを下降操作するとき、スクリーンを巻き戻して下限まで下降させた後に操作コードをさらに同方向へ操作すると、スクリーンが巻取軸に逆方向に巻き取られる。
【０００８】
特に、共通の操作コードで２枚のスクリーンの昇降操作を行うダブルロールブラインドでは、スクリーンが下限まで下降されたとき、操作コードの同方向へのそれ以上の操作を規制する下限停止手段を操作コードに設けることができない。
【０００９】
スクリーンを巻取軸に逆方向に巻き取った後にストッパー装置を解除すると、スクリーンはまず巻取軸から巻き戻されて下限まで下降し、次いで巻取軸に巻き取られて上昇する。
【００１０】
逆巻きされたスクリーンがスプリングモーターの付勢力で巻き戻されるとき、スプリングモーターに作用する負荷がスクリーンの引き上げ時に比べて小さくなるので、スクリーンが勢いよく下降する。
【００１１】
このスプリングモーターの付勢力によるスクリーン下降時に、スクリーンの下降を停止させようとして操作コードを操作すると、操作装置に大きな負荷が作用して故障することがある。
【００１２】
特許文献１には、スクリーンの逆巻き防止機構を備えた巻取式スクリーン装置が開示されている。しかし、逆巻き防止機構を構成するラチェットは、正方向あるいは逆方向のいずれかの回転方向に限ってトルクリミッター機能を有するので、右操作用と左操作用の操作装置を構成するためには、動作方向の異なるラチェットを使用する必要がある。従って、部品点数が増大し、コストを上昇させるという問題点がある。
【００１３】
この発明の目的は、スクリーンの巻取軸への逆巻きを防止して、操作装置での故障の発生を未然に防止し得るとともに、部品点数を削減し得るロールブラインドの操作装置を提供することにある。
【課題を解決するための手段】
【００１４】
請求項１では、操作装置と取付ブラケットとの間に回転可能に支持される巻取軸からスクリーンを垂下し、前記操作装置から垂下される操作コードの操作に基づいて前記スクリーンを昇降するロールブラインドの操作装置において、前記スクリーンの前記巻取軸からの巻き戻し時及び巻き戻しに続く逆巻き時に、該巻取軸に作用する回転トルクの増大に基づいて空回りして、前記操作コードの操作力を前記巻取軸に伝達しないとともに、正逆いずれの回転方向に対しても同一の伝達トルク制限機能を備えたトルクリミッターを前記巻取軸の端部に取着されるパイプキャップに内蔵し、前記パイプキャップは、前記巻取軸の左右何れの端部にも取着可能である。
【００１５】
請求項２では、前記トルクリミッターは、前記操作装置の操作に基づいて回転されるとともに、回転中心に対し点対称状に形成された第一の凹凸部を備えたパイプキャップシャフトと、前記パイプキャップシャフトに回転可能に支持されるとともに、前記第一の凹凸部に空回り可能に噛み合う第二の凹凸部と、前記パイプキャップに常時噛み合う第三の凹凸部とを備えた移動コマと、前記第一及び第二の凹凸部を互いに圧接させて伝達トルクを設定する付勢手段とを備えた。
【００１６】
請求項３では、前記第一及び第二の凹凸部は、その凸部のトルク伝達方向の断面形状が台形となるように形成した。
請求項４では、前記第一及び第二の凹凸部は、その凸部の両側面を同一の傾きを備えた斜面とした。
【００１７】
請求項５では、前記操作装置と前記取付ブラケットとの間に２本の前記巻取軸を回転可能に支持し、前記各巻取軸のパイプキャップには、前記操作装置から垂下される共通の操作コードで各巻取軸から垂下されるスクリーンを昇降操作可能としたクラッチ装置を備えた。
【００１８】
請求項６では、前記パイプキャップに回転可能に支持されるパイプキャップシャフトの基端側から先端まで、前記クラッチ装置の出力軸を嵌合した。
請求項７では、前記トルクリミッターを前記巻取軸の一端に取着したパイプキャップに備え、前記巻取軸内に前記巻取軸にスクリーン巻取り方向の回転トルクを付与するスプリングモーターと、該スプリングモーターの付勢力に抗してスクリーンを所望高さに保持するストッパー装置とを備え、前記巻取軸の他端に前記スクリーンの下限位置を設定する下限リミット設定装置と、前記スプリングモーターの初期巻きトルクを調整する調整装置を備えた。
【００１９】
請求項８では、前記下限リミット設定装置は、前記巻取軸の回転にともなって、前記巻取軸の軸方向にスライドするストッパーと、前記スクリーンが下限まで下降したとき、前記ストッパーのスライドを阻止する移動規制片と、前記ストッパーのスライドの停止を選択可能とした選択手段とを備え、前記調整装置は、前記ストッパーをスライド可能に支持するスプライン軸を貫通して、前記取付ブラケットの側方から前記スプリングモーターの初期巻きトルクを調整可能とした調整軸を備えた。
【００２０】
請求項９では、操作装置の操作に基づいて回転されるとともに、回転中心に対し点対称状に形成された第一の凹凸部を備えたパイプキャップシャフトと、前記パイプキャップシャフトに回転可能に支持されるとともに、前記第一の凹凸部に空回り可能に噛み合う第二の凹凸部と、パイプキャップに常時噛み合う第三の凹凸部とを備えた移動コマと、前記第一及び第二の凹凸部を互いに圧接させて伝達トルクを設定する付勢手段とを有するトルクリミッターとを備える巻取軸のパイプキャップであって、前記パイプキャップは、前記巻取軸の左右何れの端部にも取着可能である。
【００２１】
請求項１０では、前記パイプキャップシャフトには、出力軸を嵌挿可能とした筒状部を設け、該筒状部にはパイプキャップに嵌合する係止突部と、該係止突部の近傍に設けたスリットとを備えた。
【発明の効果】
【００２２】
本発明によれば、スクリーンの巻取軸への逆巻きを防止して、操作装置での故障の発生を未然に防止し得るとともに、部品点数を削減し得るロールブラインドの操作装置を提供することができる。
【図面の簡単な説明】
【００２３】
【図１】ロールブラインドを示す正面図である。
【図２】巻取軸の端部を示す断面図である。
【図３】トルクリミッターを示す断面図である。
【図４】トルクリミッターを示す分解斜視図である。
【図５】下限リミット設定装置を示す断面図である。
【図６】下限リミット設定装置を示す分解斜視図である。
【図７】下限リミット設定装置の動作を示す断面図である。
【図８】第二の実施形態のトルクリミッターを示す断面図である。
【図９】第二の実施形態のパイプキャップシャフトを示す斜視図である。
【発明を実施するための形態】
【００２４】
以下、この発明を具体化したロールブラインドの一実施形態を図面に従って説明する。図１に示すダブルロールブラインドは、フレーム１の一端に取着される操作装置２と、フレーム１の他端に取着される取付ブラケット３との間には、２本の巻取軸４ａ，４ｂが回転可能に支持されている。
【００２５】
前記巻取軸４ａ，４ｂは、前後方向及び上下方向にずらして支持され、下方かつ後方に位置する巻取軸４ａからスクリーン５ａが吊下支持され、上方かつ前方に位置する巻取軸４ｂからスクリーン５ｂがスクリーン５ａの前方に吊下支持されている。各スクリーン５ａ，５ｂの下端にはウェイトバー６ａ，６ｂがそれぞれ取着されている。
【００２６】
前記操作装置２のケース７内にはプーリー８が回転可能に支持され、そのプーリー８に無端状のボールチェーン９が掛装されている。そして、ボールチェーン９の操作によりプーリー８を正逆方向に回転操作可能となっている。
【００２７】
前記ボールチェーン９は、他のボールと同様な形状のジョイント９ａを介して無端状に接続されている。そして、操作者がボールチェーン９に引っ掛かった場合等、通常の操作時に作用する引っ張り力以上の力が作用したとき、ジョイント９ａで切断されて安全を確保するようになっている。
【００２８】
前記ケース７内には前記プーリー８の回転を前記巻取軸４ａ，４ｂに伝達するギヤ機構が配設されている。そして、例えば室外側に垂下されるボールチェーン９を下方へ引くと、巻取軸４ａをスクリーン５ａの下降方向に回転操作可能であり、室内側に垂下されるボールチェーン９を下方へ引くと、巻取軸４ｂをスクリーン５ｂの下降方向に回転操作可能となっている。
【００２９】
前記巻取軸４ａ，４ｂはアルミの形材で形成され、図２に示すように、その一端にはパイプキャップ１０が嵌着されている。そして、パイプキャップ１０内にクラッチ装置１１とトルクリミッター１２がそれぞれ収容されている。
【００３０】
クラッチ装置１１は、前記ボールチェーン９の操作に基づいて、各巻取軸４ａ，４ｂをスクリーン下降方向にのみ回転させるものであり、トルクリミッター１２は各巻取軸４ａ，４ｂに対するスクリーン５ａ，５ｂの逆巻きを防止するものである。
【００３１】
前記巻取軸４ａ，４ｂに配設されるクラッチ装置１１及びトルクリミッター１２は同一構成であるので、巻取軸４ａに配設されるクラッチ装置１１及びトルクリミッター１２について詳細に説明する。
【００３２】
クラッチ装置１１は、前記プーリー８の回転に基づいて入力軸がスクリーン巻き戻し方向に回転されるとき、スライド部材８１がスライドして、スライド部材８１に設けられた係止部８２と出力軸１７側の係止部８３とが係合する。すると、出力軸１７がスクリーン巻き戻し方向に回転される。
【００３３】
また、プーリー８の回転に基づいて入力軸がスクリーン巻取り方向に回転されるとき、スライド部材８１はスライドせず、出力軸１７は回転されない。
図３及び図４に示すように、前記パイプキャップ１０は前記巻取軸４ａ内に嵌合可能とした筒状に形成され、基端側すなわち巻取軸４ａの端部側の開口部の直径は、先端側の開口部の直径より大きい径で形成されている。
【００３４】
このパイプキャップ１０は、基端部を除いて巻取軸４ａ，４ｂの内周面に形成されるリブに係合する突条８５が周方向に複数設けられ、巻取軸４ａ，４ｂに対し一体に回転するように嵌合される。
【００３５】
また、パイプキャップ１０の基端部外周面には指掛け凹部８４が形成され、巻取軸４ａ，４ｂに対しスクリーン５ａ，５ｂを巻取軸４ａ，４ｂに取着する生地押さえ（図示しない）を容易に着脱可能となっている。
【００３６】
前記パイプキャップ１０の先端側には前記トルクリミッター１２が収容されている。トルクリミッター１２はパイプキャップシャフト１３と、移動コマ１４と、コイルスプリング１５とで構成されている。
【００３７】
前記パイプキャップシャフト１３は丸軸状に形成され、その基端側には六角孔１６が開口されている。そして、その六角孔１６に前記クラッチ装置１１の出力軸１７を嵌合可能となっている。
【００３８】
前記パイプキャップシャフト１３の軸方向中間部にはフランジ１８が形成され、そのフランジ１８の先端側側面には凹凸が周方向に等間隔に形成されて凹凸部１９が形成されている。
【００３９】
前記パイプキャップシャフト１３の先端外周面には、パイプキャップ１０の先端側開口部２１の周縁部に係合する係止突部２０がパイプキャップシャフト１３の軸中心に対し線対称状に２箇所形成されている。そして、パイプキャップシャフト１３の先端部をパイプキャップ１０内から開口部２１に嵌挿すると、図３に示すように、係止突部２０が開口部２１に係合して、パイプキャップシャフト１３の先端部が開口部２１に保持されるようになっている。
【００４０】
前記移動コマ１４は、前記パイプキャップシャフト１３の直径より若干大きい内径を備えた円筒状に形成されて、パイプキャップシャフト１３と移動コマ１４の内周面との間に前記コイルスプリング１５を収容可能となっている。
【００４１】
前記移動コマ１４の基端縁には前記パイプキャップシャフト１３を相対回転可能に挿通し得る径の開口部２２を備えた係止片２３が形成されている。そして、前記パイプキャップシャフト１３の凹凸部１９に対向する側の係止片２３の側面には、凹凸部１９に係合する凹凸部２４が形成されている。
【００４２】
また、前記コイルスプリング１５は係止片２３とパイプキャップ１０の開口部２１の周辺部との間に配設され、パイプキャップ１０を支点とするコイルスプリング１５の付勢力により、移動コマ１４の凹凸部２４がパイプキャップシャフト１３の凹凸部１９に圧接されて係合するようになっている。
【００４３】
前記凹凸部１９，２４は、その凸部の断面形状が台形となるように、凸部の側面が同一の傾きを備えた斜面となるように形成されている。そして、パイプキャップシャフト１３と移動コマ１４との間に作用する回転トルクが、コイルスプリング１５の付勢力に基づいて凹凸部１９，２４間に発生する摩擦力を上回ると、移動コマ１４とパイプキャップシャフト１３とが互いに空回りするようになっている。
【００４４】
前記移動コマ１４の外周面には、複数の凹凸が周方向に等間隔に形成されて凹凸部２５が形成され、前記パイプキャップ１０の内周面の先端側には前記凹凸部２５に噛み合う凹凸部２６が形成されている。そして、移動コマ１４はパイプキャップ１０内の先端部で凹凸部２５，２６が噛み合う状態で保持されている。従って、移動コマ１４とパイプキャップ１０とは一体に回転する。
【００４５】
このようなトルクリミッター１２を組み立てるには、パイプキャップシャフト１３の先端側を移動コマ１４の基端側に挿入し、凹凸部１９，２４を互いに係合させる。そして、移動コマ１４内にコイルスプリング１５を挿入し、この状態でパイプキャップシャフト１３の先端をパイプキャップ１０内から先端側の開口部２１に挿通する。すると、係止突部２０が開口部２１の外側面に係合して、パイプキャップシャフト１３、移動コマ１４及びコイルスプリング１５がパイプキャップ１０内に保持される。
【００４６】
このようにトルクリミッター１２を取着したパイプキャップ１０を巻取軸４ａの一端に嵌着し、パイプキャップ１０内でパイプキャップシャフト１３の六角孔１６に前記クラッチ装置１１の出力軸１７を相対回転不能に嵌合し、そのクラッチ装置１１の入力軸を前記操作装置２のギヤ機構の出力軸に連結する。すると、図２に示すように、パイプキャップ１０内にクラッチ装置１１が収容される。
【００４７】
そして、巻取軸４ａにスクリーン５ａの上端を取着すると、クラッチ装置１１及びトルクリミッター１２を備えたロールブラインドが構成される。クラッチ装置１１は、ボールチェーン９の操作に基づいて回転駆動されるギヤ機構の出力軸の回転のいずれか一方の回転、すなわち巻取軸４ａからスクリーン５ａを巻き戻す方向の回転のみを伝達する公知の構成及び機能を備えている。前記巻取軸４ｂの一端部の構成もクラッチ装置１１の動作方向が逆方向となることを除いて巻取軸４ａと同様である。
【００４８】
上記のようなクラッチ装置１１及びトルクリミッター１２を備えたロールブラインドでは、室外側に垂下されるボールチェーン９を下方へ引くと、操作装置２のギヤ機構から巻
取軸４ａ内のクラッチ装置１１に、巻取軸４ａからスクリーン５ａを巻き戻す方向の回転が伝達される。そして、その回転はクラッチ装置１１を介してパイプキャップシャフト１３に伝達される。
【００４９】
このとき、巻取軸４ｂのクラッチ装置１１には、巻取軸４ｂにスクリーン５ｂを巻き取る方向の回転が伝達されるが、その回転はクラッチ装置１１の作用により巻取軸４ｂに伝達されることはない。
【００５０】
巻取軸４ａのパイプキャップシャフト１３に回転力が伝達されると、パイプキャップシャフト１３に凹凸部１９，２４を介して噛み合う移動コマ１４がパイプキャップシャフト１３と一体に回転され、凹凸部２５，２６を介してパイプキャップ１０が移動コマ１４と一体に回転される。
【００５１】
すると、巻取軸４ａがスクリーン５ａの巻き戻し方向に回転されて、スクリーン５ａが下降する。
スクリーン５ａが巻取軸４ａからすべて巻き戻された後、巻取軸４ａがさらに同方向へ回転されると、スクリーン５ａが巻取軸４ａに逆巻きされようとする。すると、凹凸部１９，２４間に作用する負荷が、スクリーン５ａの下降操作時に比べて大きくなる。
【００５２】
この結果、パイプキャップシャフト１３が移動コマ１４に対し空回りして、スクリーン５ａの逆巻きが防止される。言い換えれば、スクリーン５ａが逆巻きされようとすると、パイプキャップシャフト１３が移動コマ１４に対し空回りするようにコイルスプリング１５の付勢力が設定されている。
【００５３】
室内側に垂下されるボールチェーン９を下方へ引くと、操作装置２のギヤ機構から巻取軸４ｂ内のクラッチ装置１１に、巻取軸４ｂからスクリーン５ｂを巻き戻す方向の回転が伝達され、その回転はクラッチ装置１１を介してパイプキャップシャフト１３に伝達される。
【００５４】
このとき、巻取軸４ａのクラッチ装置１１には、巻取軸４ａにスクリーン５ａを巻き取る方向の回転が伝達され、その回転はクラッチ装置１１の作用により巻取軸４ａに伝達されることはない。
【００５５】
そして、巻取軸４ｂ内のトルクリミッター１２も同様に動作して、巻取軸４ｂへのスクリーン５ｂの逆巻きが防止される。
次に、前記巻取軸４ａ，４ｂの他端側に設けられる下限リミット設定装置について説明する。下限リミット設定装置はスクリーン５ａあるいはスクリーン５ｂがすべて巻き戻されたとき、巻取軸４ａ，４ｂのスクリーン巻き戻し方向の回転を阻止して，スクリーン５ａ，５ｂの逆巻きを防止するように動作するものである。巻取軸４ａ，４ｂに取着される下限リミット設定装置は同一構成であるので、巻取軸４ａ内に設けられる下限リミット設定装置について説明する。
【００５６】
図５及び図７に示すように、前記取付ブラケット３にはブラケットシャフト３１が取着され、そのブラケットシャフト３１に下限リミット設定装置３２を介して前記巻取軸４ａが回転可能に支持されている。
【００５７】
下限リミット設定装置３２の具体的構成を説明すると、前記ブラケットシャフト３１には前記巻取軸４ａの長手方向中間部に向かって延びる丸軸状の支軸３３が設けられ、その支軸３３の中心部には四角孔３４が形成されている。
【００５８】
前記ブラケットシャフト３１の四角孔３４にはスプライン軸３５の基端部が相対回転不能に嵌合されている。スプライン軸３５は、図６に示すように、前記四角孔３４に相対回転不能に係合する突条３６が上方及び下方に向かってそれぞれ２条ずつ突出されている。また、スプライン軸３５の中間部やや先端側にはスプライン軸３５の中心に対し点対称状に位置する突条３６が切除されて切除部３７が形成されている。
【００５９】
前記スプライン軸３５にはストッパー３８がスプライン軸３５の軸方向にスライド可能に支持されている。ストッパー３８は、スプライン軸３５を嵌挿可能とした略円筒状に形成され、その内周面にはスプライン軸３５の突条３６に係合する凸部３９が中心に対し線対称状に形成されている。
【００６０】
従って、スプライン軸３５を挿通したストッパー３８は、その凸部３９がスプライン軸３５の突条３６に係合して、スプライン軸３５に対し相対回転不能であり、かつ軸方向にスライド可能に支持されている。
【００６１】
前記ストッパー３８の外周面には雄ネジ４０が刻設されるとともに、その外周面には雄ネジ４０をストッパー３８の中心に対し線対称状に切除した平面部４１が形成されている。
【００６２】
前記ブラケットシャフト３１の支軸３３には略円筒状のストッパー受け４２が回転可能に支持され、そのストッパー受け４２の内周面に雌ネジ４３が刻設されている。そして、ストッパー受け４２内に前記ストッパー３８を取着したスプライン軸３５がその先端部を除いて収容されるとともに、ストッパー３８が雌ネジ４３に螺合されている。従って、ストッパー受け４２が回転されると、ストッパー３８がスプライン軸３５に沿ってスライドするようになっている。
【００６３】
前記ストッパー受け４２の基端側内周面には、前記ストッパー３８の移動軌跡上に突出する移動規制片４４が形成され、図５に示すように、前記ストッパー３８が移動規制片４４に当接するまで移動すると、ストッパー３８の同方向へのそれ以上の移動が阻止される。すると、ストッパー受け４２の同方向へのそれ以上の回転が阻止される。
【００６４】
前記ストッパー受け４２の基端部に設けられるフランジ部４５には、先端側に向かって突出する多数の係止凸部４６が設けられている。
前記ストッパー受け４２の基端部にはキャップ４７が回転可能に、かつストッパー受け４２の軸方向に相対的にスライド可能に支持され、図７に示すように、前記ストッパー受け４２の係止凸部４６に対向する側面には係止凸部４６に係合可能とした係止凹部４８が形成されている。
【００６５】
そして、図５に示すように係止凸部４６が係止凹部４８に係合している状態では、ストッパー受け４２とキャップ４７が一体に回転する。また、図７に示すように、係止凸部４６と係止凹部４８との係合が外れると、キャップ４７が回転されても、ストッパー受け４２が回転されないようになっている。
【００６６】
前記キャップ４７の先端部には連結孔４９が中心に対し線対称状に２箇所設けられ、その連結孔４９にカバー５０が嵌着されている。カバー５０は、前記ストッパー受け４２を収容可能とした筒状に形成され、その基端外周面に前記連結孔４９に嵌合する嵌合突部５１が形成されている。そして、嵌合突部５１を連結孔４９に嵌合することにより、カバー５０とキャップ４７が相対回転不能に連結されている。
【００６７】
前記カバー５０の外周面には、前記巻取軸４ａの内周面に形成されるリブに係合可能とした段差部５２が形成されている。そして、カバー５０は段差部５２で巻取軸４ａの内周面に嵌合されて、巻取軸４ａと一体に回転するようになっている。
【００６８】
前記キャップ４７の外周面には、周方向に斜めに延びるガイド溝５３が形成されている。このガイド溝５３は、中心に対し点対称状に２箇所形成され、ガイド溝５３の長手方向中間部に不連続部分が形成されている。
【００６９】
前記ブラケットシャフト３１にはロックキャップ（選択手段）５４が回転可能に支持されている。このロックキャップ５４は、基端側に操作ダイヤル部５５が形成され、その操作ダイヤル部５５の周面にローレット５６が滑り止めとして形成されている。
【００７０】
前記操作ダイヤル部５５には、先端側に延びる一対のガイド片５７が中心に対し線対称状に形成され、そのガイド片５７の先端部には前記キャップ４７のガイド溝５３に係合するガイド突起５８が対向するように形成されている。
【００７１】
前記ガイド片５７の中間部には、前記ストッパー受け４２の基端側外周面に設けられた係止溝５９に係合可能とした突部６０が設けられている。そして、ガイド片５７のガイド突起５８をガイド溝５３に係合させた状態で、突部６０が係止溝５９に周方向にスライド可能に係合されている。
【００７２】
このようなロックキャップ５４をブラケットシャフト３１に対し回転操作すると、ガイド突起５８がキャップ４７のガイド溝５３に案内されて、図５及び図７に示すように、ストッパー受け４２の軸方向にスライドしながら回転する。
【００７３】
すると、ロックキャップ５４のスライドにともなってストッパー受け４２がスライドされ、図５に示すように、係止凸部４６が係止凹部４８に係合している状態と、図７に示すように、係止凸部４６が係止凹部４８から外れた状態とのいずれかを選択可能となっている。
【００７４】
また、ガイド溝５３の不連続部分によりロックキャップ５４の回転操作にクリック感が得られる。
前記ブラケットシャフト３１には、前記ストッパー受け４２の移動限度を設定するストッパー止め６１が取着されている。
【００７５】
前記巻取軸４ａの中間部には、公知のストッパー装置６２及びスプリングモーター６３が内蔵されている。スプリングモーター６３は捩りコイルスプリング６４の一端が固定プラグ６５に取着され、固定プラグ６５が前記スプライン軸３５の先端に開口される四角孔６６に回転不能に嵌合されている。
【００７６】
前記捩りコイルスプリング６４の他端はワインドプラグ６７に取着され、そのワインドプラグ６７はストッパー装置６２のケース６８に連結されている。
前記ストッパー装置６２のケース６８は、前記巻取軸４ａの内周面に嵌合して巻取軸４ａと一体に回転する。そして、巻取軸４ａがスクリーン５ａの巻き戻し方向に回転されると、ワインドプラグ６７が回転されて、捩りコイルスプリング６４が蓄勢されるようになっている。
【００７７】
ストッパー装置６２は、ケース６８内にドラム６９が配設され、そのドラム６９はジョイント７０及び前記捩りコイルスプリング６４に挿通されるサポートパイプ７１を介して前記固定プラグ６５に連結されて、回動不能に支持されている。
【００７８】
そして、ケース６８の回転に基づいてドラム６９の周面に設けられたガイド溝７２に沿ってボール７３が移動する。
このようなストッパー装置６２では、ボールチェーン９の操作により捩りコイルスプリング６４の付勢力に抗してスクリーン５ａを所望高さに吊下支持する動作と、捩りコイルスプリング６４の付勢力よりスクリーン５ａを巻取軸４ａに巻き取る動作とを選択可能である。
【００７９】
図５及び図７に示すように、前記ブラケットシャフト３１及びスプライン軸３５の中心部には基端部を除いて六角棒状の調整軸７４が回転可能に支持されている。調整軸７４の先端側には六角棒部分より径の大きい丸軸部７５と、端面に六角孔が操作孔７６として開口される操作軸部７７が形成されている。
【００８０】
そして、調整軸７４の先端部は前記固定プラグ６５の入力軸７８に嵌合され、調整軸７４の丸軸部７５が前記ブラケットシャフト３１に回転可能に支持されている。また、前記操作孔７６が取付ブラケット３の側面に露出されている。
【００８１】
前記固定プラグ６５は、前記入力軸７８と前記捩りコイルスプリング６４が取着されるエンド部材７９との間にクラッチ装置８０が介在されている。そして、取付ブラケット３の側方から操作孔７６に六角レンチ等の冶具を挿入して調整軸７４を回転させると、クラッチ装置８０を介してエンド部材７９を回転させて、捩りコイルスプリング６４の所期巻きトルクを調整可能となっている。なお、捩りコイルスプリング６４の付勢力は、クラッチ装置８０の作用により入力軸７８には伝達されず、スプライン軸３５の四角孔６６で受け止められる。
【００８２】
次に、上記のように構成されたロールブラインドの作用を説明する。
プーリー８から室外側に垂下されるボールチェーン９を下方へ引くと、巻取軸４ａのクラッチ装置１１の作用により巻取軸４ａがスクリーン５ａの巻き戻し方向に回転され、スクリーン５ａが下降する。このとき、巻取軸４ｂ内のクラッチ装置１１の作用により、巻取軸４ｂは回転されない。また、巻取軸４ａをスクリーン巻き戻し方向に回転させると、巻取軸４ａ内のスプリングモーター６３が蓄勢される。
【００８３】
スクリーン５ａを所望高さまで下降させた後、ボールチェーン９を手放すと、巻取軸４ａ内のストッパー装置６２の作用によりスプリングモーター６３の付勢力によるスクリーン５ａの引き上げが阻止される。
【００８４】
スクリーン５ａを引き上げるには、室外側に垂下されるボールチェーン９を下方へ僅かに引き下げるとストッパー装置６２の作動が解除され、この状態でボールチェーン９を手放すと、スプリングモーター６３の付勢力によりスクリーン５ａが上限まで自動的に引き上げられる。
【００８５】
プーリー８から室内側に垂下されるボールチェーン９を操作すると、巻取軸４ｂを操作してスクリーン５ｂの昇降操作が可能であり、その動作は巻取軸４ａの場合と同様である。
【００８６】
巻取軸４ａからスクリーン５ａを巻き戻すとき、トルクリミッター１２に作用するトルクは、スプリングモーター６３を蓄勢するために要するトルクから、スクリーン５ａの重量に基づいて巻取軸４ａに作用するトルクを差し引いた値となる。この状態では、トルクリミッター１２に空回りが生ずることはなく、ボールチェーン９の操作によりクラッチ装置１１及びトルクリミッター１２を介して巻取軸４ａが回転される。
【００８７】
巻取軸４ａからスクリーン５ａがすべて巻き戻された後、ボールチェーン９をさらに同方向へ操作すると、スクリーン５ａが巻取軸４ａに逆巻きされようとする。
すると、トルクリミッター１２に作用するトルクは、スプリングモーター６３を蓄勢するために要するトルクと、スクリーン５ａの重量に基づいて巻取軸４ａに作用するトルクとの総和となる。この状態では、トルクリミッター１２のパイプキャップシャフト１３と移動コマ１４との間に空回りが生じるため、巻取軸４ａに対するスクリーン５ａの逆巻きが防止される。
【００８８】
このとき、パイプキャップシャフト１３と移動コマ１４の凹凸部１９，２４が互いに乗り越えながら空回りして騒音が発生するため、操作者はスクリーン５ａが下限まで下降したことを認識可能である。
【００８９】
巻取軸４ｂにおいても、トルクリミッター１２の同様な動作により、逆巻きが防止される。
また、巻取軸４ａ，４ｂの他端側に配設される下限リミット設定装置３２の動作により、スクリーン５ａ，５ｂの逆巻きが防止される。
【００９０】
下限リミット設定装置３２にスクリーン５ａの下限位置を設定するには、まず巻取軸４ａを回転させて、図５に示すようにストッパー３８がストッパー受け４２の移動規制片４４に当接するまで移動させる。
【００９１】
次いで、ロックキャップ５４を回転操作してロックキャップ５４及びストッパー受け４２をスライドさせ、図７に示すように、ストッパー受け４２の係止凸部４６とキャップ４７の係止凹部４８との係合を解除する。
【００９２】
この状態でスクリーン５ａを下限まで下降させ、ロックキャップ５４を逆方向に操作して、ストッパー受け４２の係止凸部４６とキャップ４７の係止凹部４８とが係合する状態に復帰させる。
【００９３】
この状態から、巻取軸４ａをスクリーン巻き取り方向に回転させてスクリーン５ａを引き上げると、ストッパー３８が図５に示す右方へ移動される。そして、巻取軸４ａをスクリーン巻き戻し方向に回転させて、スクリーン５ａが下限まで下降すると、ストッパー３８が移動規制片４４に当接して同方向へのそれ以上のスライドが阻止されるため、スクリーン５ａの逆巻きが阻止される。
【００９４】
巻取軸４ｂに配設される下限リミット設定装置３２も同様に動作する。
上記のように構成されたロールブラインドでは、次に示す効果を得ることができる。
（１）トルクリミッター１２により、巻取軸４ａ，４ｂへのスクリーン５ａ，５ｂの逆巻きを防止することができる。
（２）共通のボールチェーン９で巻取軸４ａ，４ｂへのスクリーン５ａ，５ｂの巻取り及び巻き戻しを行うとともに、ボールチェーン９に下限位置を設定する下限設定手段を取着できないダブルロールブラインドにおいて、各巻取軸４ａ，４ｂへのスクリーン５ａ，５ｂの逆巻きを防止することができる。
（３）巻取軸４ａ，４ｂからスクリーン５ａ，５ｂを巻き戻す際に巻取軸４ａ，４ｂに作用する回転トルクに比して、巻取軸４ａ，４ｂにスクリーン５ａ，５ｂを逆巻きする場合に巻取軸４ａ，４ｂに作用する回転トルクが増大し、この増大分に基づいてトルクリミッター１２を自動的に作動させて、スクリーン５ａ，５ｂの逆巻きを防止することができる。
（４）スクリーン５ａ，５ｂの逆巻きを防止することができるので、スプリングモーター６３の付勢力に基づいてスクリーン５ａ，５ｂが勢いよく下降することはない。従って、ボールチェーン９の操作により、操作装置２及びクラッチ装置１１に過負荷が作用することもない。
（５）スクリーン５ａ，５ｂの逆巻きが開始されようとするとき、トルクリミッター１２のパイプキャップシャフト１３と移動コマ１４の凹凸部１９，２４の空回りによる騒音で、スクリーン５ａ，５ｂが下限まで下降されたことを認識することができる。
（６）トルクリミッター１２は、凹凸部１９，２４の形状により、正逆いずれの回転方向に対しても、同一の伝達トルク制限機能を備えているので、操作装置２がフレーム１の左右いずれに取着されても、共通のトルクリミッター１２を使用することができる。従って、操作方向の異なる操作装置を用意する必要がある場合に、部品点数の増大を防止することができる。
（７）下限リミット設定装置３２により、スクリーン５ａ，５ｂの逆巻きを阻止することができる。
（８）下限リミット設定装置３２を設けた巻取軸４ａ，４ｂの端部側から、スプリングモーター６３の初期巻きトルクを調整することができる。
（第二の実施形態）
図８及び図９は、トルクリミッター１２の第二の実施形態を示す。第一の実施形態では、図２に示すように、クラッチ装置１１の出力軸１７はパイプキャップシャフト１３の六角孔１６の中間部まで挿入されているが、この実施形態では出力軸９１の六角棒状の先端部がパイプキャップシャフト１３の先端縁まで挿入されている。この他の構成は、第一の実施形態と同様であり、同一構成部分は同一符号を付して説明する。
【００９５】
図８に示すように、パイプキャップ１０内にはクラッチ装置１１とトルクリミッター１２が収容されている。前記クラッチ装置１１の出力軸９１は、第一の実施形態の出力軸１７より軸方向に長く延設されている。
【００９６】
図９に示すパイプキャップシャフト９２には、その筒状部の軸方向先端部に形成された係止突部２０の周方向両側にスリット９３が形成されている。そして、パイプキャップシャフト９２の先端部をパイプキャップ１０に嵌合するとき、パイプキャップシャフト９２の先端部の縮径方向への若干の撓みを許容して、パイプキャップ１０に容易に嵌合できるようになっている。
【００９７】
前記パイプキャップシャフト９２には、第一の実施形態のパイプキャップシャフト１３と同様に、前記出力軸９１を嵌挿可能とした筒状に形成されるとともに、基端側から中間部にかけては、前記出力軸９１を相対回転不能に嵌合するための六角孔１６が形成されている。
【００９８】
また、パイプキャップシャフト９２の先端側には前記六角孔１６に連なるとともに、その六角孔１６より径の大きい円形孔９４が形成されている。そして、前記係止突部２０の内側において、前記円形孔９４の内周面には前記出力軸９１の先端部に当接するリブ９５が軸方向に形成されている。
【００９９】
次に、この実施形態のトルクリミッター１２の作用を説明する。図８に示すように、トルクリミッター１２はパイプキャップシャフト９２の先端部をパイプキャップ１０の先端側開口部２１に嵌着すると、係止部２０が先端側開口部２１に係合して、トルクリミッター１２がパイプキャップ１０に保持される。
【０１００】
そして、クラッチ装置１１の出力軸９１をパイプキャップシャフト９２の円形孔９４まで嵌合すると、クラッチ装置１１の出力軸９１の回転がトルクリミッター１２を介して巻取軸に伝達される。
【０１０１】
このようなトルクリミッター１２では、クラッチ装置１１の出力軸９１がパイプキャップシャフト９２の先端まで挿通されて、出力軸９１の外周面にリブ９５が当接した状態に維持されている。
【０１０２】
従って、パイプキャップシャフト９２が合成樹脂で形成されていても、その中心部に出力軸９１が嵌挿されているので、パイプキャップシャフト９２の先端部の縮径方向の撓みが阻止される。
【０１０３】
第一の実施形態では、クラッチ装置１１の出力軸１７がパイプキャップシャフト１３の軸方向中間部まで嵌挿されている。そして、パイプキャップシャフト１３の先端部が撓みにくいので、パイプキャップ１０の先端側開口部２１に嵌合しにくい。
【０１０４】
しかし、この実施形態ではスリット９３によりパイプキャップシャフト９２の先端部が撓みやすいので、パイプキャップ１０にパイプキャップシャフト９２を容易に嵌合できる。そして、出力軸９１をパイプキャップシャフト９２の円形孔９４まで嵌挿すると、パイプキャップシャフト９２の先端部の縮径方向の撓みを阻止することができるので、パイプキャップシャフト９２のパイプキャップ１０の先端側開口部２１からの脱落を防止することができる。
【０１０５】
上記実施形態は、以下の態様で実施してもよい。
・トルクリミッター１２と、下限リミット設定装置３２のいずれかを備えて、スクリーン５ａ，５ｂの逆巻きを防止するようにしてもよい。
・下限リミット設定装置３２では、スクリーンの下限位置を、スクリーンをすべて巻き戻した位置に限らず、スクリーンがすべて巻き戻される直前位置等、任意のスクリーン高さで設定することもできる。
【符号の説明】
【０１０６】
２…操作装置、３…取付ブラケット、４ａ，４ｂ…巻取軸、５ａ，５ｂ…スクリーン、９…操作コード（ボールチェーン）、１０…パイプキャップ、１１…クラッチ装置、１２…トルクリミッター、１３，９２…パイプキャップシャフト、１４…移動コマ、１５…付勢手段（コイルスプリング）、１７，９１…出力軸、１９…第一の凹凸部、２４…第二の凹凸部、２５…第三の凹凸部、７４…調整装置（調整軸）、９３…スリット。
【図１】
0006038495.tif 000002
【図２】
0006038495.tif 000003
【図３】
0006038495.tif 000004
【図４】
0006038495.tif 000005
【図５】
0006038495.tif 000006
【図６】
0006038495.tif 000007
【図７】
0006038495.tif 000008
【図８】
0006038495.tif 000009
【図９】
0006038495.tif 000010